(57)【要約】【課題】排水マスに接続する排水枝管の水勾配を容易にとることができる排水構造を提供する。【解決手段】１階床下がコンクリートで形成された平版部１０に、地盤を露出させる凹部１５が形成されており、この凹部１５に排水マス１２がその上部を平版部１０より突出するように配置されたうえで地盤に設置され、排水マス１２の上部に排水枝管１１（１１ａ〜１１ｅ）が接続されているので、排水マス１２を平版部１０に設置する場合に比して、排水マス１２の設置位置を低くでき、よって、この排水マス１２に接続される排水枝管１１（１１ａ〜１１ｅ）の水勾配を容易にとることができる。【選択図】　　　　図１
2004143776.tif 000002
【特許請求の範囲】
【請求項１】
建物内の複数の排水口からの排水を、排水枝管によって１階床下に設けられた集中排水部に集中させて、この集中排水部から排水主管によって外部に排水するための排水構造であって、
前記１階床下の地盤にコンクリートで形成された平版部が、１階床下の地盤のほぼ全域に亙って設けられており、
前記平版部には地盤を露出させる凹部が形成されており、
この凹部に、前記集中排水部が、前記排水枝管を接続する排水枝管接続部が平版部より上方に位置するようにして、配置されたうえで地盤に設置されており、前記排水主管は、前記凹部に配置されたうえで、基礎の外側に延出されていることを特徴とする排水構造。
【請求項２】
建物内の複数の排水口からの排水を、複数の排水枝管によって１階床下に設けられた集中排水部に集中させて、この集中排水部から排水主管によって外部に排水するための排水構造であって、
前記１階床下の地盤に、凹部が形成されており、
この凹部に、前記集中排水部が、前記排水枝管を接続する排水枝管接続部が地盤表面より上方に位置するようにして、設置されており、
前記排水主管は、前記凹部に配置されたうえで、基礎の外側に延出されていることを特徴とする排水構造。
【請求項３】
請求項１または２に記載の排水構造において、
前記排水枝管は、前記排水口から前記集中排水部まで下り勾配となっており、
前記排水主管は地盤に埋設されていることを特徴とする排水構造。
【請求項４】
請求項１〜３のいずれか一項に記載の排水構造において、
前記集中排水部はその下部が地盤に埋設されていることを特徴とする排水構造。
【請求項５】
請求項１〜４のいずれか一項に記載の排水構造において、
前記排水枝管接続部は、前記排水主管が接続される排水主管接続部より高い位置にあることを特徴とする排水構造。
【請求項６】
請求項１〜５のいずれか一項に記載の排水構造において、
前記複数の排水枝管のうち、少なくとも１本以上の排水枝管は可撓性を有していることを特徴とする排水構造。
【請求項７】
請求項１〜６のいずれか一項に記載の排水構造において、
前記排水枝管は、前記平版部または地盤に設置された支持部材によって少なくとも１ヶ所が支持されていることを特徴とする排水構造。
【請求項８】
請求項１〜７のいずれか一項に記載の排水構造において、
前記集中排水部が排水マスであり、この排水マスの前記排水枝管接続部より高い位置に点検口が設けられていることを特徴とする排水構造。
【請求項９】
請求項１〜８のいずれか一項に記載の排水構造において、
前記１階床下の平版部または地盤の上面全域には、前記凹部を覆うようにして防湿シートが敷設されていることを特徴とする排水構造。
【発明の詳細な説明】
【０００１】
【発明の属する技術分野】
本発明は、建物内の複数の排水口からの排水を外部に排水するための排水構造に関する。
【０００２】
【背景の技術】
住宅等の建物の排水構造の一例として、次のような技術が知られている。すなわち、この技術は、建物内の複数の排水口からの排水を外部に排水するための排水管構造であり、複数の排水口にそれぞれ接続されて、基礎の内側に配管される複数の排水枝管と、基礎の内側に設置されて、前記排水枝管が接続される内部排水マスと、基礎の外側に設置される外部排水マスと、基礎を貫通して配管されて、前記内部排水マスと前記外部排水マスとを接続する接続排水管とを備えたものである。
このような排水構造では、複数の排水枝管を基礎の外側に延出する必要がないので、排水枝管ごとに外部排水マスを配置する必要がなく、よって排水配管工事が容易となる。また、基礎には、接続排水管を貫通させる穴を１つ形成すれば良いので、従来要していた複数の穴を形成する手間を省くことができる（例えば、特許文献１参照。）。
【０００３】
【特許文献１】
特開２００１−３４８９２７号公報
【０００４】
【発明が解決しようとする課題】
ところで、複数の排水枝管が接続される内部排水マスは、基礎の内側の地盤上に設置されているが、例えば、床下防湿のために基礎の内側にコンクリートで形成された平版部を設けたり、基礎自体をべた基礎にすると、これら平版部の厚さ分だけ床下が浅くなるので、この床下の平版部に内部排水マスを設置すると、内部排水マスの設置位置が平版部の厚さ分だけ高くなってしまう。内部排水マスの設置位置が高くなると、この内部排水マスに接続される排水枝管の水勾配が取り難くとなるという問題がある。
また、排水枝管の数が増加したり、排水量が多くなったりした場合に、内部排水マスを大型にすると、この内部排水マスの高さが高くなって、この内部排水マスに接続される排水枝管の水勾配が取り難くとなるという問題がある。
【０００５】
本発明は上記事情に鑑みてなされたもので、排水マスに接続する排水枝管の水勾配を容易にとることができる排水構造を提供することを目的としている。
【０００６】
【課題を解決するための手段】
上記目的を達成するために、請求項１に記載の発明は、例えば図１〜図３に示すように、建物内の複数の排水口からの排水を、排水枝管１１（１１ａ〜１１ｅ）によって１階床下に設けられた集中排水部（例えば排水マス）１２に集中させて、この集中排水部１２から排水主管１３によって外部に排水するための排水構造であって、
前記１階床下の地盤にコンクリートで形成された平版部１０が、１階床下の地盤のほぼ全域に亙って設けられており、
前記平版部１０には地盤を露出させる凹部１５が形成されており、
この凹部１５に、前記集中排水部１２が、前記排水枝管１１（１１ａ〜１１ｅ）を接続する排水枝管接続部１２ａが平版部１０より上方に位置するようにして、配置されたうえで地盤に設置されており、
前記排水主管１３は、前記凹部１５に配置されたうえで、基礎Ｋの外側に延出されていることを特徴とする。
【０００７】
ここで、１階床下をコンクリートで形成する場合の例として、基礎（布基礎）の内側に、防湿コンクリートを打設することによって、平版部１０を形成したり、また、べた基礎による場合がある。
また、前記集中排水部１２としては、排水マス１２や排水ヘッダ等が挙げられる。
さらに、排水主管１３を基礎Ｋの外側に延出するには、例えば、排水主管１３を基礎Ｋの立上り部Ｋ１を貫通させて外側に延出させたり、基礎Ｋの下側の地盤を通って外側に延出させたりすればよい。
【０００８】
請求項１に記載の発明によれば、平版部１０に凹部１５を形成し、この凹部１５に排水マス等の集中排水部１２を配置して地盤に設置したので、集中排水部１２を平版部１０に設置する場合に比して、集中排水部１２の設置位置を低くでき、よって、この集中排水部１２に接続される排水枝管１１（１１ａ〜１１ｅ）の水勾配を容易にとることができる。
また、排水主管１３が凹部１５に配置されているので、この排水主管１３は排水枝管１１（１１ａ〜１１ｅ）より低くなり、よって、排水枝管１１（１１ａ〜１１ｅ）から集中排水部１２を介して排水主管１３への排水が容易となる。
【０００９】
請求項２に記載の発明は、例えば図１０に示すように、建物内の複数の排水口からの排水を、複数の排水枝管１１（１１ａ〜１１ｅ）によって１階床下に設けられた集中排水部に集中させて、この集中排水部（例えば排水マス）１２から排水主管１３によって外部に排水するための排水構造であって、
前記１階床下の地盤Ｇに、凹部４５が形成されており、
この凹部４５に、前記集中排水部１２が、前記排水枝管１１を接続する排水枝管接続部１２ａが地盤表面より上方に位置するようにして、設置されており、
前記排水主管１３は、前記凹部４５に配置されたうえで、基礎Ｋの外側に延出されていることを特徴とする。
【００１０】
請求項２に記載の発明によれば、１階床下の地盤に形成された凹部に排水マス等の集中排水部１２を配置して地盤に設置したので、集中排水部１２を地盤表面１０に設置する場合に比して、集中排水部１２の設置位置を低くでき、よって、この集中排水部１２に接続される排水枝管１１（１１ａ〜１１ｅ）の水勾配を容易にとることができる。
また、排水主管１３が凹部に配置されているので、この排水主管１３は排水枝管１１（１１ａ〜１１ｅ）より低くなり、よって、排水枝管１１（１１ａ〜１１ｅ）から集中排水部１２を介して排水主管１３への排水が容易となる。
【００１１】
請求項３に記載の発明は、請求項１に記載の排水構造において、
前記排水枝管１１（１１ａ〜１１ｅ）は、前記排水口から前記集中排水部１２まで下り勾配となっており、
前記排水主管１３は地盤に埋設されていることを特徴とする。
【００１２】
請求項３に記載の発明によれば、排水枝管１１（１１ａ〜１１ｅ）が排水口から集中排水部１２まで下り勾配となっているので、この排水枝管１１（１１ａ〜１１ｅ）の一端部を、集中排水部１２の上部に確実に接続でき、よって、排水枝管１１（１１ａ〜１１ｅ）の水勾配を確実にとることができる。
また、１階床下の地盤にコンクリートで形成された平版部１０が設けられている場合は、排水枝管１１（１１ａ〜１１ｅ）が平版部１０上に配置されるので、排水枝管１１の工事を平版部１０を形成するためのコンクリート工事後に行うことができる。つまり、排水枝管を地盤に埋設する場合は、コンクリート工事前に排水枝管を地盤中に配管した後、コンクリート工事を行って平版部を形成し、その後、排水枝管と排水口とを接続する必要があり手間がかかっていたが、本発明では、平版部１０を形成するためのコンクリート工事後に、排水枝管１１の工事を１回で行える。
また、排水主管１３が地盤に埋設されているので、平版部１０や地盤上に排水主管１３が露出することがない。排水主管１３は排水枝管１１（１１ａ〜１１ｅ）より太いが、この太い排水主管１３が露出しないので、排水主管１３が床下での作業の邪魔になることがなく、床下での作業性がよくなる。
【００１３】
請求項４に記載の発明は、請求項１または２に記載の排水構造において、
前記集中排水部１２はその下部が地盤に埋設されていることを特徴とする。
【００１４】
請求項４に記載の発明によれば、集中排水部１２の下部が地盤に埋設されているので、さらに集中排水部１２の設置位置を低くでき、よって、さらに、排水枝管１１（１１ａ〜１１ｅ）の水勾配を容易にとることができる。
【００１５】
請求項５に記載の発明は、請求項１〜４のいずれか一項に記載の排水構造において、
前記集中排水部１２の前記排水枝管１１（１１ａ〜１１ｅ）が接続される排水枝管接続部１２ａは、前記排水主管１３が接続される排水主管接続部１２ｂより高い位置にあることを特徴とする。
【００１６】
請求項５に記載の発明によれば、排水枝管接続部１２ａが、排水主管接続部１２ｂより高い位置にあるので、排水枝管１１（１１ａ〜１１ｅ）を流れて集中排水部１２に集中した排水を、排水主管１３から容易に外部に排水できる。
【００１７】
請求項６に記載の発明は、請求項１〜５のいずれか一項に記載の排水構造において、前記排水枝管１１（１１ａ〜１１ｅ）のうち、少なくとも１本以上の排水枝管は可撓性を有していることを特徴とする。
【００１８】
請求項６に記載の発明によれば、少なくとも１本の排水枝管１１（１１ａ〜１１ｅ）が可撓性を有しているので、排水枝管１１（１１ａ〜１１ｅ）を床下で、所望のとおりに曲げながら配置することによって、排水枝管１１（１１ａ〜１１ｅ）を排水口に容易に接続できる。
【００１９】
請求項７に記載の発明は、例えば図１および図９に示すように、請求項１〜６のいずれか一項に記載の排水構造において、
前記排水枝管１１（１１ａ〜１１ｅ）は、前記平版部１０または地盤に設置された支持部材３６によって少なくとも１ヶ所が支持されていることを特徴とする。
【００２０】
請求項７に記載の発明によれば、排水枝管１１（１１ａ〜１１ｅ）が支持部材３６によって支持されているので、排水枝管１１（１１ａ〜１１ｅ）の水勾配を確実にとることができる。
また、支持部材３６を平版部１０または地盤に設置するので、基礎上に建物の躯体を構築する前に、排水枝管１１（１１ａ〜１１ｅ）を、所定の水勾配をつけて配置できる。
【００２１】
請求項８に記載の発明は、請求項１〜７のいずれか一項に記載の排水構造において、
前記集中排水部１２が排水マス１２であり、この排水マス１２の前記排水枝管接続部１２ａより高い位置に点検口が設けられていることを特徴とする。
【００２２】
例えば、排水マス１２の上端開口部を蓋１２ｃで開閉自在とし、この上端開口部を点検口とすればよい。
【００２３】
請求項８に記載の発明によれば、排水マス１２の点検口が排水枝管接続部１２ａより高い位置にあるので、床下で排水マス１２を容易に点検できる。
【００２４】
請求項９に記載の発明は、請求項１〜８のいずれか一項に記載の排水構造において、
前記平版部１０または地盤の上面全域には、前記凹部１５を覆うようにして防湿シート４０が敷設されていることを特徴とする。
【００２５】
請求項８に記載の発明によれば、防湿シート４０が平版部１０または地盤を、凹部１５を覆うようにして敷設されているので、地盤から床下への水や湿気の侵入を防止できる。
【００２６】
【発明の実施の形態】
以下、図面を参照して本発明の実施の形態について説明する。
本実施の形態の排水構造は、図１〜図３に示すように、１階床下がコンクリートで形成された平版部１０となっている建物内の複数の排水口からの排水を排水枝管１１によって１階床下に設けられた集中排水部１２に集中させて、この集中排水部１２から排水主管１３によって外部に排水するための排水構造である。
【００２７】
平版部１０は、床下の地盤面からの水蒸気の発生を防ぎ、床組の乾燥状態を確保するために、防湿コンクリートで仕上げられたものである。また、平版部１０には、地盤を露出させる凹部１５が基礎Ｋの近傍に形成されている。この凹部１５は平面視において長方形状をなしており、その短辺が基礎Ｋと平行に、長辺が基礎Ｋと直角になるように配置されている。また、一方の短辺は基礎Ｋに沿って配置されている。また、凹部１５の底は開口しており、これによって地盤を露出させることができるようになっている。
【００２８】
前記排水枝管１１は、本実施の形態では５本ある。
排水枝管１１ａはバスユニットからの排水管、排水枝管１１ｂは洗面所からの排水管、排水枝管１１ｃは洗濯機からの排水管、排水枝管１１ｄは二階からの排水管、１１ｅはキッチンの流し台からの排水管である。これら排水枝管１１（１１ａ〜１１ｅ）は、樹脂で形成され外周に多数の蛇腹を有する筒状のもので、可撓性を有している。
【００２９】
排水枝管１１ａは、図４に示すように、バスユニットの排水口である排水トラップ１６に接続されている。排水トラップ１６は、浴槽１７および洗い場１８からの排水を合流させるもので、この排水トラップ１６には接続部１６ａが設けられており、この接続部１６ａに排水枝管１１ａが接続されている。なお、浴槽１７および洗い場１８を備えたバスユニットは、脚部１９によって支持されている。
排水枝管１１ｂは、図５に示すように、１階の床部２０を上下に貫通して設けられたパイプ２１の下端部にエルボ２２を介して接続されている。パイプ２１の下端部が洗面所の排水口とされている。そして、このパイプ２１の上端部に、洗面台の排水管が接続されるようになっている。
なお、排水管１１ｅは、排水枝管１１ｂと同様にパイプ２１に接続されており、このパイプ２１の上端部に、キッチンの流し台の排水管が接続されるようになっている。
【００３０】
排水枝管１１ｃは、図６に示すように、排水口である排水トラップ２５にエルボ２６を介して接続されている。
排水トラップ２５は、洗濯機用の防水パン２７の下面に取り付けられており、この排水トラップ２５の接続部２５ａに洗濯機の排水ホースが接続されるようになっている。
なお、図７に示すように、洗濯機用の防水パン２７が無い場合は、１階の床部２０内に設けられた排水トラップ２８にエルボ２９を介して排水枝管１１ｃを接続する。
排水枝管１１ｄは、図８に示すように、１階の床部２０を上下に貫通して設けられ、排水口となるパイプ３０にエルボ３１を介して接続されている。パイプ３０は二階から延びるものであり、このパイプ３０の上端部は例えば二階床を貫通して、二階の洗面台等の排水管に接続されている。また、パイプ３０は１階に設けられたパイプスペース３１内を通っている。
【００３１】
また、前記平版部１０に形成された凹部１５には、図１〜図３に示すように、集中排水部１２が配置され地盤に設置されている。この集中排水部１２は排水マス１２であり、この排水マス１２の下部は地盤に埋設され、上部は平版部１０より上方に突出している。
排水マス１２は、略円筒状のものであり、その上部外周壁には、６個の排水枝管接続部１２ａが設けられており、本実施の形態では６個の排水枝管接続部１２ａのうち、５個の排水枝管接続部１２ａに、それぞれ、前記排水枝管１１ａ〜１１ｅが接続されている。また、残り１個の排水枝管接続部１２ａは、着脱自在の栓がされており、排水枝管１１を新たに増設した際に、その排水枝管１１が接続されるようになっている。
なお、排水枝管接続部１２ａは、筒状のものであり、その基端部は排水マス１２内に開口され、先端部に排水枝管１１が接続されるようになっている。
【００３２】
また、平版部１０の凹部１５には、排水主管１３が配置されており、この排水主管１３は基礎Ｋの立上り部Ｋ１を貫通し、さらに外部排水マス３５に接続されている。また、排水マス１２の下部外周壁には排水主管接続部１２ｂが設けられており、この排水主管接続部１２ｂに排水主管１３が接続されている。
この排水主管１３は複数のパイプ１３ａをエルボ１３ｂで接続したものであり、排水マス１２から遠ざかるほど、下方に位置するように水勾配が付けられている。
なお、排水主管１３の基端部は凹部１５内の地盤を掘り起こして、その部分に設置したうえで、埋め戻すことによって地盤に埋設されている。
【００３３】
また、排水マス１２の上端開口部には、蓋１２ｃが被されており、この蓋１２ｃを取り外すことによって、排水マス１２の上端開口部が開放され、この部分が点検口となる。この点検口は排水マス１２の目詰まりや、汚れの付着具合を定期的に検査し、目詰まりや汚れを取り除くための作業口としても使用される。
【００３４】
前記排水マス１２の排水枝管接続部１２ａにそれぞれ接続された排水枝管１１（１１ａ〜１１ｅ）は、それぞれ、上述したバスユニット、洗面台、洗濯機、流し台、二階からの排水管等の、それぞれの排水口から、排水枝管接続部１２ａまで下り勾配となる水勾配が付けられている。
すなわち、排水枝管１１は、複数の支持部材３６によって、複数箇所が支持されるとともに、基礎を貫通する部分においては、固定部材３７によって基礎に固定さている。
支持部材３６は、図９に示すように、設置プレート３６ａと、この設置プレート３６ａの両端部に立設され、外周にねじ山が切られたた支持ロッド３６ｂ，３６ｂと、これら支持ロッド３６ｂ，３６ｂ間に架設されて、支持ロッド３６ｂ，３６ｂが貫通する上下一対の挟持バンド３６ｃ，３６ｃと、支持ロッド３６ｂ，３６ｂのねじ山にそれぞれ螺合された上下一対のナット３６ｄ，３６ｄとを備えている。
【００３５】
そして、この支持部材３６では、下のナット３６ｄ，３６ｄを回すことによって、挟持バンド３６ｃ，３６ｃの上下の高さ位置を調整し、この挟持バンド３６ｃ，３６ｃの中央の凹部間に排水枝管１１を挿入したうえで、上のナット３６ｄ，３６ｄを締め付けることによって、挟持バンド３６ｃ，３６ｃによって排水枝管１１を挟持するようになっている。
したがって、このような支持部材３６を所定間隔で配置し、その設置プレート３６ａ平版部１０上に設置したうえで、それぞれの支持部材３６の挟持バンド３６ｃ，３６ｃの高さ調整を行い、次に、それぞれの挟持バンド３６ｃ，３６ｃで排水枝管１１を複数箇所挟持し、さらに、固定部材３７で基礎に固定することによって、排水枝管１１は排水口から、排水マス１２の排水枝管接続部１２ａまで下り勾配となる水勾配が付けられている。
【００３６】
また、前記平版部１０の上面全域には、凹部１５を覆うようにして防湿シート４０が敷設されている。この防湿シート４０は、排水マス１２を覆わないようにして敷設し、その縁部は基礎Ｋの内面に連続している。
【００３７】
このように構成された排水構造は、基礎Ｋが施工された後または基礎の施工と同時に、この基礎Ｋの内側に平版部１０を施工し、平版部１０に形成された凹部１５に排水マス１２を配置して地盤に設置し、さらに、排水枝管１１と排水主管１３を所定の位置に配置したうえで、排水枝管１１を内側の基礎や、支持部材３６に仮固定し、さらに、防湿シート４０を敷設し、基礎上に建物の躯体を構築した後、排水枝管１１を建物の１階床に設けられた排水口に接続することによって、施工される。
【００３８】
本実施の形態の排水構造によれば、以下のような効果を得ることができる。
（１）平版部１０に凹部１５を形成し、この凹部１５に排水マス１２を配置して地盤に設置したので、排水マス１２を平版部１５に設置する場合に比して、排水マス１２の設置位置を低くでき、よって、この排水マス１２に接続される排水枝管１１の水勾配を容易にとることができる。
（２）排水主管１３が凹部１５に配置されているので、この排水主管１３は排水枝管１１より低くなり、よって、排水枝管１１から排水マス１２を介して排水主管１３への排水が容易となる。
（３）排水枝管１１が平版部１０上に配置されているので、この排水枝管１１の一端部を、排水マス１２の上部にある排水枝管接続部１２ａに確実に接続でき、よって、排水枝管１１の水勾配を確実にとることができる。
【００３９】
（４）排水主管１３が地盤に埋設されており、この太い排水主管１３が露出しないので、排水主管１１が床下での作業の邪魔になることがなく、床下での作業性がよくなる。
（５）排水マス１２の下部が地盤に埋設されているので、さらに排水マス１２の設置位置を低くでき、よって、排水枝管１１の水勾配を容易にとることができる。
（６）排水マス１２の排水枝管接続部１２ａが、排水主管接続部１２ｂより高い位置にあるので、排水枝管１１を流れて排水マス１２に集中した排水を、排水主管１３から容易に外部に排水できる。
（７）排水枝管１１が可撓性を有しているので、排水枝管１１を床下で、所望のとおりに曲げながら配置することによって、排水枝管１１をバスユニット、洗面台、洗濯機、流し台、二階からの排水管等の、それぞれの排水口に容易に接続できる。
【００４０】
（８）排水枝管１１が支持部材３６と固定部材３７によって支持されているので、排水枝管１１の水勾配を確実にとることができる。また、支持部材３６を平版部１０に設置するので、基礎上に建物の躯体を構築する前に、排水枝管１１（１１ａ〜１１ｅ）を、所定の水勾配をつけて配置できる。
（９）排水マス１２の点検口が、排水マス１２の上端開口部にあるので、つまり平版部１０より高い位置にあるので、床下で排水マス１２を容易に点検できる。
（１０）防湿シート４０が平版部１０を、凹部１５を覆うようにして敷設されているので、地盤から床下への水や湿気の侵入を防止できる。
なお、本実施の形態では、布基礎Ｋの内側に防湿コンクリートで仕上げられた平版部１０を施工したものを例にとって説明したが、基礎がべた基礎である場合はべた基礎の平版部に、凹部１５を形成し、この凹部１５に排水マス１２を配置して地盤に設置すればよい。
【００４１】
図１０は本発明に係る排水構造の他の実施の形態を示すものである。この図に示す排水構造が、図１〜図９に示す排水構造と異なる点は、１階床下を、コンクリート製の平版部とすることなく平らに均した地盤Ｇとし、この地盤Ｇに凹部４５を形成し、この凹部４５に排水マス１２を設置したものであり、その他の構成要素は図１〜図９に示す排水構造と共通であるので、共通部分には同一符号を付してその説明を簡略化ないし省略する。
【００４２】
本実施の形態では、排水マス１２は、その排水枝管接続部１２ａを地盤表面より上方に位置するようにして、凹部４５に設置されている。この凹部４５は前記凹部１５と同様に、平面視において長方形状をなしており、その短辺が基礎Ｋと平行に、長辺が基礎Ｋと直角になるように配置されている。また、一方の短辺は基礎Ｋに沿って配置されている。
また、排水主管１３は、前記凹部４５に配置されたうえで、基礎Ｋの立上り部Ｋ１を貫通して外側に延出されている。
【００４３】
本実施の形態によれば、以下のような効果を得ることができる。
（１）地盤Ｇに凹部４５を形成し、この凹部４５に排水マス１２を設置したので、排水マス１２を地盤表面に設置する場合に比して、排水マス１２の設置位置を低くでき、よって、この排水マス１２に接続される排水枝管１１の水勾配を容易にとることができる。
（２）排水主管１３が凹部４５に配置されているので、この排水主管１３は排水枝管１１より低くなり、よって、排水枝管１１から排水マス１２を介して排水主管１３への排水が容易となる。
なお、本実施の形態でも、上述した（３）〜（１０）と同様の効果を得ることができるのは勿論のことである。
【００４４】
なお、上記二つの実施の形態では、平版部１０または地盤に形成された凹部１５，４５に配置されて地盤に設置される集中排水部として、排水マス１２を適用した例を説明したが、この排水マスに代えてヘッダ部を集中排水部として使用してもよい。なお、ヘッダ部とは、排水主管１３より大径のヘッダを備え、このヘッダに排水主管１３を接続する接続部と、複数の排水枝管１１を接続する接続部を形成したものであり、排水マス１２と似ているが、排水マス１２に比して容積が小さく、比較的容易に設置できるという利点がある。
【００４５】
【発明の効果】
以上説明したように、請求項１に記載の発明によれば、平版部に形成された凹部に集中排水部を配置して地盤に設置したので、集中排水部の設置位置を低くでき、よって、この集中排水部に接続される排水枝管の水勾配を容易にとることができる。
また、排水主管が凹部に配置されているので、この排水主管は排水枝管より低くなり、よって、排水枝管から集中排水部を介して排水主管への排水が容易となる。
【００４６】
請求項２に記載の発明によれば、１階床下の地盤に形成された凹部に排水マス等の集中排水部を配置して地盤に設置したので、集中排水部を地盤表面に設置する場合に比して、集中排水部の設置位置を低くでき、よって、この集中排水部に接続される排水枝管の水勾配を容易にとることができる。
また、排水主管が凹部に配置されているので、この排水主管は排水枝管より低くなり、よって、排水枝管から集中排水部を介して排水主管への排水が容易となる。
【００４７】
請求項３に記載の発明によれば、排水枝管の水勾配を確実にとることができる。
また、排水主管が地盤に埋設されているので、排水主管が床下での作業の邪魔になることがなく、床下での作業性がよくなる。
【００４８】
請求項４に記載の発明によれば、集中排水部の下部が地盤に埋設されているので、さらに集中排水部の設置位置を低くでき、さらに排水枝管の水勾配を容易にとることができる。
【００４９】
請求項５に記載の発明によれば、排水枝管接続部が、排水主管接続部より高い位置にあるので、排水枝管を流れて集中排水部に集中した排水を、排水主管から容易に外部に排水できる。
【００５０】
請求項６に記載の発明によれば、少なくとも１本以上の排水枝管が可撓性を有しているので、排水枝管を床下で、排水枝管を排水口に容易に接続できる。
【００５１】
請求項７に記載の発明によれば、排水枝管が支持部材によって支持されているので、排水枝管の水勾配を確実にとることができる。
また、支持部材を平版部または地盤に設置するので、基礎上に建物の躯体を構築する前に、排水枝管を、所定の水勾配をつけて配置できる。
【００５２】
請求項８に記載の発明によれば、排水マスの点検口が排水枝管接続部より高い位置にあるので、床下で排水マスを容易に点検できる。
【００５３】
請求項９に記載の発明によれば、防湿シートが平版部または地盤を、凹部を覆うようにして敷設されているので、地盤から床下への水や湿気の侵入を防止できる。
【図面の簡単な説明】
【図１】本発明の排水構造の一例を示すもので、排水構造の斜視図である。
【図２】同、排水構造の平面図である。
【図３】同、排水構造の斜視図である。
【図４】同、排水枝管とバスユニットとの接続部を示す断面図である。
【図５】同、排水枝管と洗面所との接続部を示す断面図である。
【図６】同、排水枝管と洗濯機との接続部を示す断面図である。
【図７】同、排水枝管と洗濯機との接続部の他の例を示す断面図である。
【図８】同、排水枝管と二階からの配管との接続部を示す断面図である。
【図９】同、排水枝管を支持する支持部材を示す正面図である。
【図１０】本発明の排水構造の他の例を示すもので、排水構造の斜視図である。
【符号の説明】
Ｇ　地盤
Ｋ　基礎
Ｋ１　立上り部
１０　平版部
１１（１１ａ〜１１ｅ）　排水枝管
１２　排水マス（集中排水部）
１２ａ　排水枝管接続部
１２ｂ　排水主管接続部
１３　排水主管
１５，４５　凹部
３６　支持部材
４０　防湿シート
【図１】
2004143776.tif 000003
【図２】
2004143776.tif 000004
【図３】
2004143776.tif 000005
【図４】
2004143776.tif 000006
【図５】
2004143776.tif 000007
【図６】
2004143776.tif 000008
【図７】
2004143776.tif 000009
【図８】
2004143776.tif 000010
【図９】
2004143776.tif 000011
【図１０】
2004143776.tif 000012